(57)【要約】【課題】各種のエレベータ用品が配置する昇降路内の狭いスペース部分であっても、シーブ支持用のビームを昇降路内の梁部材に容易に取り付けることができるエレベータを提供する。【解決手段】昇降路内の上部に設けられた巻上機と、前記巻上機に巻き掛けられて乗りかごとカウンターウエイトとを昇降路内に吊り下げ、前記巻上機の駆動により前記乗りかごとカウンターウエイトとを昇降させるメインロープ４５と、前記昇降路の上部に架設された梁部材２９の上に配置されたビーム４７と、このビーム４７に回転自在に取り付けられて支持され、前記メインロープ４５の途中が巻き掛けられたそらせシーブ３６とを具備し、前記ビーム４７の下面に凹部５１を形成し、この凹部５１内に防振ゴム５０の一部を嵌合し、この防振ゴム５０を介して前記ビーム４７を前記梁部材２９の上に支持する。【選択図】    図３
2005082391.tif 000002
【特許請求の範囲】
【請求項１】
昇降路内に設けられた巻上機と、
前記巻上機に巻き掛けられて乗りかごとカウンターウエイトとを昇降路内に吊り下げ、前記巻上機の駆動により前記乗りかごとカウンターウエイトとを昇降させるメインロープと、
前記昇降路の上部に架設された梁部材の上に配置されたビームと、
このビームに回転自在に取り付けられて支持され、前記メインロープの途中が巻き掛けられたそらせシーブと、
前記ビームと前記梁部材との間に配置され、一部が前記ビームの下面に形成された凹部内に嵌合して前記ビームを前記梁部材の上に支持した弾性体からなる防振部材と、
を具備することを特徴とするエレベータ。
【請求項２】
前記梁部材には、前記ビームの少なくとも両端側の端面に対向するストッパーが設けられていることを特徴とする請求項１に記載のエレベータ。
【請求項３】
前記ストッパーと前記ビームとの間には弾性体が設けられていることを特徴とする請求項２に記載のエレベータ。
【請求項４】
前記ビームは前記梁部材を跨いでその梁部材の下方に延びる一対の脚部を有し、その一対の脚部間に前記そらせシーブが回転自在に取り付けられていることを特徴とする請求項１ないし３のいずれかに記載のエレベータ。
【請求項５】
前記そらせシーブは、その軸方向が前記巻上機の軸方向と平面視においてほぼ直角となる方向を向く状態に設けられていることを特徴とする請求項１ないし４のいずれかに記載のエレベータ。
【請求項６】
前記カウンターウエイトは前記乗りかごの背部側の空間領域に配置され、そのカウンターウエイトの上方空間部に前記巻上機が配置されていることを特徴とする請求項１ないし５のいずれかに記載のエレベータ。
【発明の詳細な説明】
【技術分野】
【０００１】
この発明は、メインロープ巻掛け用のそらせシーブに加わる振動を抑える防振手段を備えるエレベータに関する。
【背景技術】
【０００２】
通常一般のエレベータにあっては、建屋の屋上にマシンルームが設けられ、このマシンルーム内に巻上機が設置され、この巻上機にメインロープが巻き掛けられている。メインロープは建屋の昇降路内に吊り下げられ、その一端部に乗りかごが、他端部にカウンターウエイトがそれぞれ連結され、これら乗りかごとカウンターウエイトとが巻上機による駆動で昇降路内を昇降する。
【０００３】
しかし、このような建屋の屋上にマシンルームが設置されるエレベータにあっては、建屋の景観や日照権等の点で不利となり、そこで近年においては、建屋の屋上にマシンルームを設置しないマシンルームレスエレベータが採用されるようになってきている。
【０００４】
このマシンルームレスエレベータにあっては、昇降路内に複数の梁部材が組み付けられ、これら梁部材に巻上機やそらせシーブが取り付けられ、乗りかごおよびカウンターウエイトを吊り下げるメインロープがその巻上機やそらせシーブに巻き掛けられ、その巻上機の回転で乗りかごおよびカウンターウエイトが昇降路内で昇降する。
【０００５】
図１１には、メインロープが巻き掛けられるそらせシーブの支持構造を示してあり、符号１が昇降路内の上部に水平に架設された梁部材で、この梁部材１の上にビーム２が設けられている。ビーム２は中間部に脚部３を有し、この脚部３が梁部材１の下方に延出し、その延出部にそらせシーブ４が回転自在に取り付けられ、このそらせシーブ４にメインロープ５の途中が巻き掛けられている。
【０００６】
梁部材１とビーム２との間には、エレベータ運行時の振動を吸収する防振部材としての防振ゴム６が複数設けられている。これら防振ゴム６はボルト７およびナット８を介して梁部材１およびビーム２に固定されている。さらに、梁部材１とビーム２との間には、大きな地震によるずれ動きや脱落を防止するために、耐震ボルト９が設けられている。
【発明の開示】
【発明が解決しようとする課題】
【０００７】
マシンルームレスエレベータにおいては、昇降路内の狭いスペース内に梁部材が組み付けられ、その梁部材に巻上機やそらせシーブ等の各種のエレベータ用品が互いに接近して隣り合うように組み付けられている。
【０００８】
ところが、上述した従来のシーブ支持構造では、防振ゴム６を固定するボルト７の頭部や耐震ボルト９の先端部が梁部材１やビーム２の外側に突出するように露出し、このためその頭部や先端部がこれと隣り合うエレベータ用品と干渉し、結局、シーブ支持用のビーム２を梁部材１に取り付けることが困難となってしまうことがある。
【０００９】
この発明はこのような点に着目してなされたもので、その目的とするところは、各種のエレベータ用品が配置する狭いスペース内であっても、シーブ支持用のビームを昇降路内の梁部材に容易に取り付けることができるエレベータを提供することにある。
【課題を解決するための手段】
【００１０】
請求項１の発明は、昇降路内に設けられた巻上機と、前記巻上機に巻き掛けられて乗りかごとカウンターウエイトとを昇降路内に吊り下げ、前記巻上機の駆動により前記乗りかごとカウンターウエイトとを昇降させるメインロープと、前記昇降路の上部に架設された梁部材の上に配置されたビームと、このビームに回転自在に取り付けられて支持され、前記メインロープの途中が巻き掛けられたそらせシーブと、前記ビームと前記梁部材との間に配置され、一部が前記ビームの下面に形成された凹部内に嵌合して前記ビームを前記梁部材の上に支持した弾性体からなる防振部材とを具備することを特徴としている。
【００１１】
請求項２の発明は、前記梁部材には、前記ビームの少なくとも両端側の端面に対向するストッパーが設けられていることを特徴としている。
【００１２】
請求項３の発明は、前記ストッパーと前記ビームとの間に弾性体が設けられていることを特徴としている。
【００１３】
請求項４の発明は、前記ビームが前記梁部材を跨いでその梁部材の下方に延びる一対の脚部を有し、その一対の脚部間に前記そらせシーブが回転自在に取り付けられていることを特徴としている。
【００１４】
請求項５の発明は、前記そらせシーブの軸方向が前記巻上機の軸方向と平面視においてほぼ直角となる方向を向いていることを特徴としている。
【００１５】
請求項６の発明は、前記カウンターウエイトが前記乗りかごの背部側の空間領域に配置され、そのカウンターウエイトの上方空間部に前記巻上機が配置されていることを特徴としている。
【発明の効果】
【００１６】
この発明によれば、各種のエレベータ用品が配置する狭いスペース内であっても、シーブ支持用のビームを昇降路内の梁部材に容易に取り付けることができる。
【発明を実施するための最良の形態】
【００１７】
以下、この発明の実施の形態について図１ないし図１０を参照して説明する。
【００１８】
図１にはマシンルームレスエレベータの概略的な外観構造を、図２にはその平面構造をそれぞれ示してあり、建屋の昇降路２０内には乗りかご２１およびカウンターウエイト２２が設けられている。
【００１９】
乗りかご２１は前面に出入口２３を有し、この乗りかご２１の背面側の空間領域にカウンターウエイト２２が配置されている。乗りかご２１およびカウンターウエイト２２はそれぞれその両側に設けられた図２に示すガイドレール２５，２６に沿って上下に昇降する。
【００２０】
図１に示すように昇降路２０内の上部には複数の梁部材２９が架設されている。これら梁部材２９は図２に示す前記ガイドレール２５，２６の上部には組み付けられている。そしてこれら梁部材２９のうちの一部に巻上機３０が取り付けられている。この巻上機３０は例えば前面に駆動シーブ３１を有する円盤状をなし、カウンターウエイト２２の上方部にそのカウンターウエイト２２と平行に配置するように梁部材２９に取り付けられている。
【００２１】
また、梁部材２９の他の一部には中間シーブ３５およびそらせシーブ３６が回転自在に設けられている。中間シーブ３５はその中心軸が巻上機３０の駆動シーブ３１の中心軸と平行となる向きに設けられ、そらせシーブ３６はその中心軸が巻上機３０の駆動シーブ３１の中心軸と平面視において直角となる向きに設けられている。
【００２２】
乗りかご２１の下面部には、一対のかごシーブ４０ａ，４０ｂがそれぞれ回転自在に設けられている。これらかごシーブ４０ａ，４０ｂは乗りかご２１の下面のほぼ対角線上に配置するように乗りかご２１の両側部に分かれて取り付けられている。また、カウンターウエイト２２の上部にはウエイトシーブ４２が回転自在に取り付けられている。
【００２３】
４５はメインロープであり、このメインロープ４５は一端部４５ａが梁部材２９に固定され、他端側が乗りかご２１の下側のかごシーブ４０ａ，４０ｂを通って乗りかご２１の上方側に引き出され、その引き出し側がそらせシーブ３６、中間シーブ３５、巻上機３０の駆動シーブ３１、ウエイトシーブ４２に順次巻き掛けられ、その端部４５ｂが梁部材２９に固定されている。
【００２４】
このこのように引き回されたメインロープ４５により、乗りかご２１とカウンターウエイト２２とが互いにほぼ平衡するように昇降路２０内に吊り下げられている。そしてこの状態において、巻上機３０が起動して駆動シーブ３１が回転することにより、乗りかご２１とカウンターウエイト２２が互いに逆方向に昇降する。
【００２５】
なお、図においては、１本のメインロープ４５で乗りかご２１とカウンターウエイト２２とを吊り下げているが、実際には平行に引き揃えられた複数本のメインロープで吊り下げられる。
【００２６】
図３ないし図５には、そらせシーブ３６の支持構造を示してあり、前記梁部材２９の上にはシーブ支持用のビーム４７が設けられている。このビーム４７は中間部に一対の脚部４８を有し、これら脚部４８が梁部材２９を跨いでその下方に延出し、その延出部間にそらせシーブ３６が回転自在に取り付けられている。
【００２７】
梁部材２９とビーム４７との間には、エレベータ運行時の振動を吸収する弾性体としての防振ゴム５０が一対、梁部材２９の長手方向に分かれて設けられている。これら防振ゴム５０は直方体をなし、ビーム４７の下面には各防振ゴム５０に対応する矩形状の凹部５１が形成され、これら凹部５１内に各防振ゴム５０の一部が嵌合されている。そして各防振ゴム５０を介してビーム４７が梁部材２９の上に載置され、このビーム４７を介してそらせシーブ３６が梁部材２９の下方に支持されている。
【００２８】
このような構成においては、図１１に示す従来の防振ゴム取付用のボルト７が不要で、そのボルト７の張り出しがなく、したがって周辺のエレベータ用品によって制約される狭いスペース内であっても容易に能率よくビーム４７を梁部材２９に取り付けてそらせシーブ３６を支持することができる。そして従来のボルト７が不要であるから、防振ゴム５０の取付作業が容易で、かつコストも低減することができる。
【００２９】
ビーム４７は一対の脚部４８を有し、これら脚部４８が梁部材２９を跨いでその下方に延出し、その延出部間にそらせシーブ３６が取り付けられており、つまり梁部材２９がビーム４７とそらせシーブ３６とで囲まれており、したがって予想を上回るような大きな振動が加わっても梁部材２９に対するビーム４７の脱落を防止することができる。
【００３０】
図６には第２の実施形態を示してあり、この実施形態においては、ビーム４７の両端側にストッパー５３が設けられている。これらストッパー５３は、垂直片５３ａと水平片５３ｂとを有するＬ状をなし、水平片４３ｂが梁部材２９の上面に接してボルト５４で固定され、垂直片４３ａがビーム４７の端面に僅かな隙間をあけて対向するように配置されている。
【００３１】
この実施形態の場合には、地震の発生でビーム４７が横揺れを起こした際に、その動きがストッパー５３により規制される。図１１に示す従来の構造においては、耐震ボルト９によりビーム２の横揺れの動きを規制するようにしているが、前記耐震ボルト９がビーム２の上方側に突出して張り出しており、このためビーム２の上方側にエレベータ用品が配置する狭いスペースの場合にその耐震ボルト９の取り付けが困難となる。
【００３２】
ところが、本実施形態の場合には、ビーム４７の両端側に配置するストッパー５３によりその横揺れ動きを規制する構成であるから、ビーム４７の上方側にエレベータ用品が配置する狭いスペースの場合であってもそれに制約されることなくビーム４７を梁部材２９に取り付けることができる。
【００３３】
なお、図７に示すように、ストッパー５３における水平片５３ｂがビーム４７の下側に入り込むように取り付ければ、梁部材２９の長さが短い場合であってもその取り付けが可能となる。
【００３４】
図８には第３の実施形態を示してあり、この実施形態においては、各ストッパー５３における垂直片５３ａとビーム４７の両端面との間の隙間に弾性体としてのゴム５５が設けられている。
【００３５】
この実施形態の場合には、エレベータ運行時における縦方向の振動が防振ゴム５０により吸収されると共に、横方向の振動がビーム４７の両端側のゴム５５により有効に吸収される。
【００３６】
そして地震の発生でビーム４７が横揺れを起こした際には、その横揺れの力が前記ゴム５５により吸収され、ビーム４７の横揺れの動きがより的確に規制される。ビーム４７が大きく横揺れすると、ビーム４７と梁部材２９との間の防振ゴム５０に大きなせん断力が加わるが、本実施形態においてはビーム４７の横揺れの動きを的確に規制して防振ゴム５０に加わるせん断力を小さく抑えることができる。
【００３７】
図９には第４の実施形態を示してあり、この実施形態においては、ビーム４７の両端側に設けられた各ストッパー５３が断面クランク状をなしている。すなわち各ストッパー５３は、垂直片５３ａとその下端に連接された水平片５３ｂとを有すると共に、垂直片５３ａの上端に抑え片５３ｃが水平に形成され、これら抑え片５３ｃがビーム４７の両端側の上面に一定の間隔をあけて対向するように配置されている。
【００３８】
この実施形態の場合には、ビーム４７の上方への必要以上の動きが各ストッパー５３における抑え片５３ｃにより的確に規制される。
【００３９】
図１０には第５の実施形態を示してあり、この実施形態においては、ビーム４７と梁部材２９との間に設けられた防振ゴム５０が従来より少ない数のボルト５６およびナット５７を介してビーム４７および梁部材２９に固定されている。ビーム４７の下面は平面で防振ゴム５０を嵌合させる凹部は形成されていない。
【００４０】
ビーム４７の両端側にはストッパー５３が設けられ、これらストッパー５３の垂直片５３ａとビーム４７との間の隙間にゴム５５が設けられ、ビーム４７の横揺れの動きが前記ストッパー５３により規制されている。
【００４１】
この実施形態の場合には、ビーム４７の下面に防振ゴム５０を嵌合させる凹部を形成する必要がなく、その分安価に構成することができる。
【００４２】
なお、巻上機は昇降路内の上部に設ける場合に限らず、例えば昇降路の下部のピット内に設けるような場合であってもよい。
【図面の簡単な説明】
【００４３】
【図１】この発明の第１の実施形態に係るマシンルームレスエレベータの概略的な外観構造を示す斜視図。
【図２】そのエレベータの平面構造を示す平面図。
【図３】そのエレベータにおけるそらせシーブの支持構造を示す正面図。
【図４】図３中のＡ−Ａ線に沿う断面図。
【図５】図３中のＢ−Ｂ線に沿う断面図。
【図６】この発明の第２の実施形態を示す正面図。
【図７】その第２の実施形態におけるストッパの取付構造の変形例を示す正面図。
【図８】この発明の第３の実施形態を示す正面図。
【図９】この発明の第４の実施形態を示す正面図。
【図１０】この発明の第５の実施形態を示す正面図。
【図１１】従来技術を示す正面図。
【符号の説明】
【００４４】
２０…昇降路
２１…乗りかご
２２…カウンターウエイト
２６，２７…ガイドレール
２９…梁部材
３０…巻上機
３５…中間シーブ
３６…そらせシーブ
４０ａ，４０ｂ…かごシーブ
４２…ウエイトシーブ
４５…メインロープ
４７…ビーム
４８…脚部
５０…防振ゴム
５１…凹部
５３…ストッパー
５５…ゴム
【図１】
2005082391.tif 000003
【図２】
2005082391.tif 000004
【図３】
2005082391.tif 000005
【図４】
2005082391.tif 000006
【図５】
2005082391.tif 000007
【図６】
2005082391.tif 000008
【図７】
2005082391.tif 000009
【図８】
2005082391.tif 000010
【図９】
2005082391.tif 000011
【図１０】
2005082391.tif 000012
【図１１】
2005082391.tif 000013